(57)【要約】【課題】インク等の内容物が逆流しても部品の通気孔から漏出することを防止することの可能な筆記具を提供する。【解決手段】軸筒３０の後端に装着される部品４０は、外筒部５０と、外筒部５０より小径でかつ軸心同一であり、前端縁６８が外筒部５０の前端縁より後方に位置する内筒部６０と、この内筒部６０の後端側を閉塞する底部４１と、底部４１及び内筒部６０の内周面に囲まれる空間である第１貯留部６１と、外筒部５０と内筒部６０との間の空間を周方向に複数の区画に仕切る複数の仕切部４２と、複数の区画のうちの少なくとも一部の区画において内筒部６０の先端より後端側の箇所を閉塞する隔壁４６と、この隔壁４６を有する区画においてこの隔壁４６より先端側の空間である第２貯留部４５と、第１貯留部６１と第２貯留部４５とを連絡する換気口６２と、が設けられている。【選択図】図１０
2019214205.tif 000002
【特許請求の範囲】
【請求項１】
インクを収容するリフィルと、
前記リフィルを内蔵する軸筒と、
前記リフィルの後端に当接し、軸筒の後端に装着される部品とを備えた筆記具であって、
前記部品には、
筒状の外筒部と、
前記外筒部より小径でかつ軸心同一であり、前端縁が前記外筒部の前端縁より後方に位置する内筒部と、
前記内筒部の後端側を閉塞する底部と、
前記底部の内面及び前記内筒部の内周面に囲まれる空間であって、前記リフィルの後端から内容物が流出した際にこれを貯留する第１貯留部と、
前記外筒部と前記内筒部との間の空間を周方向に複数の区画に仕切る複数の仕切部と、
前記複数の区画のうちの少なくとも一部の区画において前記内筒部の先端より後端側の箇所を閉塞する隔壁と、
前記隔壁を有する区画において前記隔壁より先端側の空間である第２貯留部と、
前記内筒部の前端縁のうち前記第２貯留部に臨む部分に設けられる切り欠きであって、前記第１貯留部と前記第２貯留部とを連絡する換気口と、
が設けられているとともに、
前記第１貯留部から前記内容物が溢れた際には、該内容物は前記換気口から前記第２貯留部へ流入してここに貯留されることが可能となっていることを特徴とする筆記具。
【請求項２】
前記部品には、前記仕切部の前端縁である第１当接部と、前記内筒部の内周に形成される先端側からの段部である第２当接部と、がさらに設けられているとともに、
前記軸筒には、互いに異なる形状に形成された複数のリフィルのいずれをも内蔵可能であることを特徴とする請求項１記載の筆記具。
【請求項３】
前記複数の区画のうちの一部の区画は、前記隔壁が設けられずに先端側から後端側まで貫通した通気部となっていることを特徴とする、請求項１又は２記載の筆記具。
【請求項４】
前記軸筒は内部が視認可能な材質で形成されるとともに、
前記軸筒の先端側の内部には、前記リフィルの先端側の外径を保持する飾り部材が挿入されていることを特徴とする請求項１から３までのいずれか１項に記載の筆記具。
【請求項５】
互いに形状が異なる、インクを収容する複数のリフィルと、
前記複数のリフィルのいずれをも内蔵可能な軸筒と、
を備えてなる筆記具セットであって、
前記軸筒の後端には、該軸筒に前記リフィルが内蔵されると該リフィルの後端に当接する部品が装着され、
前記部品には、
筒状の外筒部と、
前記外筒部より小径でかつ軸心同一であり、前端縁が前記外筒部の前端縁より後方に位置する内筒部と、
前記内筒部の後端側を閉塞する底部と、
前記底部の内面及び前記内筒部の内周面に囲まれる空間であって、前記リフィルの後端から内容物が流出した際にこれを貯留する第１貯留部と、
前記外筒部と前記内筒部との間の空間を周方向に複数の区画に仕切る複数の仕切部と、
前記仕切部の前端縁である第１当接部と、
前記内筒部の内周に形成される先端側からの段部である第２当接部と、
前記複数の区画のうちの少なくとも一部の区画において前記内筒部の先端より後端側の箇所を閉塞する隔壁と、
前記隔壁を有する区画において前記隔壁より先端側の空間である第２貯留部と、
前記内筒部の前端縁のうち前記第２貯留部に臨む部分に設けられる切り欠きであって、前記第１貯留部と前記第２貯留部とを連絡する換気口と、
が設けられているとともに、
前記第１貯留部から前記内容物が溢れた際には、該内容物は前記換気口から前記第２貯留部へ流入してここに貯留されることが可能となっていることを特徴とする筆記具セット。
【請求項６】
前記複数の区画のうちの一部の区画は、前記隔壁が設けられずに先端側から後端側まで貫通した通気部となっていることを特徴とする、請求項５記載の筆記具セット。
【請求項７】
前記軸筒は内部が視認可能な材質で形成されるとともに、
前記軸筒の先端側の内部には、前記リフィルの先端側の外径を保持する飾り部材が挿入されていることを特徴とする請求項５又は６記載の筆記具セット。
【請求項８】
前記軸筒は、後端にノックボタンを備えたノック式筆記具用の軸筒であることを特徴とする請求項５から７までのいずれか１項に記載の筆記具セット。
【発明の詳細な説明】
【技術分野】
【０００１】
本発明は、通気孔を有する部品を備えた筆記具及び筆記具セットに関する。
【背景技術】
【０００２】
従来、インクを収容するリフィルと、リフィルを内蔵する軸筒とを備えた筆記具（たとえば、ボールペンなど）が知られている。この軸筒の後端には、リフィルを固定するための尾栓が装着されることがあった。
【０００３】
ところが、特に乳幼児が尾栓を誤飲して気道に詰まらせると、窒息するおそれがあった。そこで、気道に尾栓を詰まらせても空気を流通させるために、尾栓に通気孔を設けた筆記具が公開されている（特許文献１及び２参照）。
【０００４】
特許文献１記載の筆記具では、リフィルの後端側の内部に連通多孔質体を設けてインクの漏出を抑制している。しかし、尾栓が下を向いた状態で衝撃を与えた場合に、インクが逆流して連通多孔質体を通過し、さらには尾栓の通気孔から漏出することがあった。
【０００５】
また、特許文献２記載の筆記具では、尾栓に通気孔を設けてはいるものの、空気の流通量はリフィル内の減圧を防止できる程度であった。したがって、特に乳幼児が気道に尾栓を詰まらせた際に窒息を防止できる程度の空気の流通を確保するのは困難であった。
【０００６】
そこで、インクの逆流を防ぐとともに空気の流通を確保した尾栓が開示されている（特許文献３参照）。
【先行技術文献】
【特許文献】
【０００７】
【特許文献１】特開平１０−１１９４７７号公報
【特許文献２】特開２００４−３０６３４９号公報
【特許文献３】特開２０１２−５６１２９号公報
【発明の概要】
【発明が解決しようとする課題】
【０００８】
本発明の実施態様は、インク等の内容物が逆流しても部品の通気孔から漏出することを防止することの可能な筆記具を提供することを課題とする。
【０００９】
さらに別の実施態様では、上記課題とともに、様々な形態のリフィルを交換して対応可能な筆記具を提供することをも課題とする。
【課題を解決するための手段】
【００１０】
前記の課題を解決するために、本願の第１の実施態様は、
インクを収容するリフィルと、
前記リフィルを内蔵する軸筒と、
前記リフィルの後端に当接し、軸筒の後端に装着される部品とを備えた筆記具であって、
前記部品には、
筒状の外筒部と、
前記外筒部より小径でかつ軸心同一であり、前端縁が前記外筒部の前端縁より後方に位置する内筒部と、
前記内筒部の後端側を閉塞する底部と、
前記底部の内面及び前記内筒部の内周面に囲まれる空間であって、前記リフィルの後端から内容物が流出した際にこれを貯留する第１貯留部と、
前記外筒部と前記内筒部との間の空間を周方向に複数の区画に仕切る複数の仕切部と、
前記複数の区画のうちの少なくとも一部の区画において前記内筒部の先端より後端側の箇所を閉塞する隔壁と、
前記隔壁を有する区画において前記隔壁より先端側の空間である第２貯留部と、
前記内筒部の前端縁のうち前記第２貯留部に臨む部分に設けられる切り欠きであって、前記第１貯留部と前記第２貯留部とを連絡する換気口と、
が設けられているとともに、
前記第１貯留部から前記内容物が溢れた際には、該内容物は前記換気口から前記第２貯留部へ流入してここに貯留されることが可能となっていることを特徴とする。
【００１１】
「筆記具」としては、たとえばボールペン、フェルトペン又は筆ペンなどが挙げられる。この筆記具において、「先端」とは、リフィルの筆記部分が存在する側の端部を意味する。一方、「後端」とは、前記先端と反対の端部を意味する。なお、本開示においては、ここでいう「先端」に近い側を「先端側」といい、その反対側を「後端側」という。
【００１２】
「インク」は、たとえば油性インク、水性インク又はゲルインクなどが挙げられる。
【００１３】
「リフィル」とは、たとえば、前記インクを収容するインク収容管のような筒状構造と、この筒状構造の先端に装着される筆記部分とを備えた、交換可能な部材をいう。このリフィルとしては、筆記部分としてボールペンチップを備えたボールペンリフィル又は筆記部分としてフェルトペン芯若しくは筆ペン芯を備えたインクリフィルなどが挙げられる。
【００１４】
「軸筒」とは、前記リフィルを内蔵する筒状の部材をいう。
【００１５】
「部品」とは、前記軸筒の後端に装着される部材をいい、たとえば、所謂尾栓がこれに該当する。この部品は、以下の構成を備える。
【００１６】
前記部品は、外側の「外筒部」及び内側の「内筒部」という二重の筒状構造を呈する。内筒部は、外筒部より小径でかつ軸心同一である。また、内筒部の前端縁は、外筒部の前端縁より後方に位置する。
【００１７】
「底部」とは、前記内筒部の後端側を塞ぐ構造である。
【００１８】
「第１貯留部」とは、前記底部の内面と前記内筒部の内周面とで囲まれる空間である。この第１貯留部の先端側は、前記軸筒に収容された前記リフィルの後端に面している。そして、このリフィルの後端から内容物が流出した場合には、この第１貯留部にその流出した内容物が貯留される。なお、この「内容物」とは、端的には前記インクをいうが、前記インク以外に前記リフィルに収容される物質（たとえば、インクの後端に注入されるフォロワー）がある場合には、このような物質をも含む。
【００１９】
「仕切部」とは、前記外筒部と前記内筒部との間の空間を周方向に複数の区画に仕切る構造である。換言すると、前記外筒部と前記内筒部とは、この仕切部で連結されている。
【００２０】
この複数の区画のうちの少なくとも一部の区画において、前記内筒部の先端より後端側の箇所を閉塞する構造が「隔壁」である。すなわち、この隔壁は、前記内筒部の先端には設けられることはないが、それより後端側の箇所であれば、たとえば後端に設けられることとしてもよい。
【００２１】
そして、前記隔壁の設けられている前記区画において、前記隔壁より先端側の空間が「第２貯留部」である。
【００２２】
さらに、前記内筒部の前端縁のうち前記第２貯留部に臨む部分には切り欠きが設けられ、この切り欠きが前記第１貯留部と前記第２貯留部とを連絡する「換気口」となっている。この換気口を通じて、前記第１貯留部から溢れた前記内容物が、前記通気部へは流出せずに、前記第２貯留部へ流入してここで貯留されることが可能となっている。よって、前記第１貯留部では貯留しきれないほど前記リフィルから前記内容物が溢れた場合でも、前記第２貯留部によってさらに貯留することが可能となっているため、前記内容物の、前記筆記具の外部への漏出の可能性がより低減することとなっている。
【００２３】
また、本願の第２の実施態様は、前記第１の実施態様の特徴に加え、前記部品には、前記仕切部の前端縁である第１当接部と、前記内筒部の内周に形成される先端側からの段部である第２当接部と、がさらに設けられているとともに、
前記軸筒には、互いに異なる形状に形成された複数のリフィルのいずれをも内蔵可能であることを特徴とする。
【００２４】
すなわち、前記仕切部の前端縁が「第１当接部」となっている。また、この第１当接部より後端側において、前記内筒部の内周に形成される、先端側から見て段部となっている箇所が「第２当接部」である。換言すると、この第２当接部を境に、後端側の内接円直径は先端側の内接円直径より小さい。また、前記第１当接部の内接円直径は前記第２当接部の内接円直径より大きい。
【００２５】
以上により、前記第１当接部には、より太いリフィルが当接し、また、前記第２当接部にはより細いリフィルが当接することが可能である。よって、前記軸筒には、複数種類、少なくとも２種類の太さのリフィルを内蔵することが可能となっている。
【００２６】
本願の第３の実施態様は、前記第１又は第２の実施態様の特徴に加え、前記複数の区画のうちの一部の区画は、前記隔壁が設けられずに先端側から後端側まで貫通した通気部となっていることを特徴とする。
【００２７】
すなわち、前記仕切部で仕切られている複数の区画のうちの一部であって、先端側から後端側までが貫通している区画が「通気部」である。換言すると、この通気部においては、先端側から後端までを遮る構造が存在しない。なお、前記部品においてこの通気部の後端側の開口部分を、通気孔と称する。これにより、通気孔から外筒部の先端側の開口部分にかけて、前記部品の内部を流通可能となっている。よって、この通気部によって、前記部品を誤飲した際にも気道が確保される。
【００２８】
また、前記複数の区画のうち、前記通気部以外の区画において、前記内筒部の先端より後端側の箇所を閉塞する構造が前記した「隔壁」である。すなわち、この隔壁は、前記内筒部の先端には設けられることはないが、それより後端側の箇所であれば、たとえば後端に設けられることとしてもよい。
【００２９】
さらに、本願の第４の実施態様は、前記第１から第３までのいずれかの実施態様の特徴に加え、前記軸筒は内部が視認可能な材質で形成されるとともに、
前記軸筒の先端側の内部には、前記リフィルの先端側の外径を保持する飾り部材が挿入されていることを特徴とする。
【００３０】
たとえば、前記飾り部材に様々な衣装を施すことで、装飾効果を奏することができる。さらに、この飾り部材を前記リフィルに収容される前記インクの色と同色又は同系色に着色することで、その飾り部材が前記軸筒を透して視認可能となるため、インク色の表示に利用することができる。
【００３１】
本願の第５の実施態様は、互いに形状が異なる、インクを収容する複数のリフィルと、
前記複数のリフィルのいずれをも内蔵可能な軸筒と、
を備えてなる筆記具セットであって、
前記軸筒の後端には、該軸筒に前記リフィルが内蔵されると該リフィルの後端に当接する部品が装着され、
前記部品には、
筒状の外筒部と、
前記外筒部より小径でかつ軸心同一であり、前端縁が前記外筒部の前端縁より後方に位置する内筒部と、
前記内筒部の後端側を閉塞する底部と、
前記底部の内面及び前記内筒部の内周面に囲まれる空間であって、前記リフィルの後端から内容物が流出した際にこれを貯留する第１貯留部と、
前記外筒部と前記内筒部との間の空間を周方向に複数の区画に仕切る複数の仕切部と、
前記仕切部の前端縁である第１当接部と、
前記内筒部の内周に形成される先端側からの段部である第２当接部と、
前記複数の区画のうちの少なくとも一部の区画において前記内筒部の先端より後端側の箇所を閉塞する隔壁と、
前記隔壁を有する区画において前記隔壁より先端側の空間である第２貯留部と、
前記内筒部の前端縁のうち前記第２貯留部に臨む部分に設けられる切り欠きであって、前記第１貯留部と前記第２貯留部とを連絡する換気口と、
が設けられているとともに、
前記第１貯留部から前記内容物が溢れた際には、該内容物は前記換気口から前記第２貯留部へ流入してここに貯留されることが可能となっていることを特徴とする。
【００３２】
すなわち、本実施態様の筆記具セットとは、前記軸筒に、前記複数のリフィルのいずれかを組み合わせることで、前記筆記具が形成されるものである。
【００３３】
なお、本実施態様における各構成の意義については、前記第１及び第２の実施態様における各構成と同様である。
【００３４】
この筆記具セットは、たとえば、前記複数のリフィルと前記軸筒とを同梱した製品として形成することが可能である。
【００３５】
本願の第６の実施態様は、前記第５の実施態様の特徴に加え、前記複数の区画のうちの一部の区画は、前記隔壁が設けられずに先端側から後端側まで貫通した通気部となっていることを特徴とする。
【００３６】
この通気部の意義については、前記第３の実施態様で述べたとおりである。
【００３７】
本願の第７の実施態様は、前記第５又は第６の実施態様の特徴に加え、前記軸筒は内部が視認可能な材質で形成されるとともに、
前記軸筒の先端側の内部には、前記リフィルの先端側の外径を保持する飾り部材が挿入されていることを特徴とする。
【００３８】
なお、本実施態様における各構成の意義については、前記第４の実施態様における各構成と同様である。
【００３９】
本願の第８の実施態様は、前記第５から第７までのいずれかの実施態様の特徴に加え、前記軸筒は、後端にノックボタンを備えたノック式筆記具用の軸筒であることを特徴とする。
【００４０】
すなわち、筆記具セットを構成する軸筒は、着脱可能なキャップを備えた筆記具用の軸筒であってもよいが、本実施態様では、これに換えて、又はこれに加えて、ノック式筆記具用の軸筒を備えることとしている。
【発明の効果】
【００４１】
本願の各実施態様は、上述のように構成されているので、以下に記す効果を奏する。
【００４２】
すなわち、前記第１の実施態様によると、前記リフィルの後端から流出した前記内容物を前記第１貯留部に貯留するようになっている。これにより、前記内容物が逆流しても前記通気部から外部へ漏出することを防止できる。
【００４３】
さらに、前記第１貯留部から溢れた前記インクは、前記換気口から第２貯留部に流入して貯留され、通気部へは流出しないようになっている。これにより、インクが第１貯留部から溢れてもなお前記の通気部から外部へ漏出することを防止できる。
【００４４】
また、前記第２の実施態様によると、前記第１の実施態様の効果に加え、複数の形状のリフィルを前記軸筒内に収容することができる。
【００４５】
さらに、前記第３の実施態様によると、前記第１又は第２の実施態様の効果に加え、空気が前記通気部によって前記部品の内部を流通するようになっている。これにより、特に乳幼児が気道に前記部品を詰まらせた際に気道を確保して窒息を防止することができる。
【００４６】
そして、前記第４の実施態様によると、前記第１から第３までのいずれかの実施態様の効果に加え、前記飾り部材により、様々な意匠効果や、前記リフィルが内蔵する前記インクの色の表示効果を発揮させることができる。
【００４７】
また、前記第５の実施態様によると、
前記リフィルの後端から流出した前記内容物を前記第１貯留部に貯留するようになっている。これにより、前記内容物が逆流しても前記通気部から外部へ漏出することを防止できる。
【００４８】
さらに、前記第１貯留部から溢れた前記インクは、前記換気口から第２貯留部に流入して貯留され、通気部へは流出しないようになっている。これにより、インクが第１貯留部から溢れてもなお前記の通気部から外部へ漏出することを防止できる。
【００４９】
また、複数の形状のリフィルを前記軸筒内に収容することができる。
【００５０】
さらに、前記第６の実施態様によると、前記第５の実施態様の効果に加え、空気が前記通気部によって前記部品の内部を流通するようになっている。これにより、特に乳幼児が気道に前記部品を詰まらせた際に気道を確保して窒息を防止することができる。
【００５１】
そして、前記第７の実施態様によると、前記第５又は第６の実施態様の効果に加え、前記飾り部材により、様々な意匠効果や、前記リフィルが内蔵する前記インクの色の表示効果を発揮させることができる。
【００５２】
また、前記第８の実施態様によると、ノック式筆記具においても前記第５から第７までのいずれかの実施態様の効果を奏することが可能となる。
【図面の簡単な説明】
【００５３】
【図１】第１実施形態に係る筆記具の側面図（Ａ）及び側面断面図（Ｂ）である。
【図２】図１の筆記具におけるリフィルの側面図（Ａ）及び側面断面図（Ｂ）である。
【図３】図１の筆記具における軸筒の側面図（Ａ）及び側面断面図（Ｂ）である。
【図４】図１の筆記具における飾り部材を斜視図（Ａ）、側面断面図（Ｂ）及び底面図（Ｃ）にて示したものである。
【図５】図１の筆記具における部品の側面図である。
【図６】図５の部品の平面図である。
【図７】図５の部品の底面図である。
【図８】図５の部品を、図６及び図７におけるＶＩＩＩ−ＶＩＩＩ断面にて示したものである。
【図９】図５の部品を、図６及び図７におけるＩＸ−ＩＸ断面にて示したものである。
【図１０】図５の部品の斜視図であって、図６及び図７におけるＸ−Ｘ一部断面を示す。
【図１１】図１の筆記具の後端部分の側面断面図である。
【図１２】図１の筆記具の後端部分の斜視断面図である。
【図１３】第２実施形態に係る筆記具の側面図（Ａ）及び側面断面図（Ｂ）である。
【図１４】図１３の筆記具におけるリフィルの側面図（Ａ）、側面断面図（Ｂ）である。
【図１５】図１３の筆記具における筆記具の後半部分の側面断面図である。
【図１６】第３実施形態に係る筆記具セットの正面図である。
【図１７】第４実施形態に係る筆記具の側面図（Ａ）及び側面断面図（Ｂ）である。
【図１８】第５実施形態に係る筆記具の側面図（Ａ）及び側面断面図（Ｂ）である。
【図１９】図１７及び図１８の筆記具における部品の側面図（Ａ）、前方斜視図（Ｂ）及び後方斜視図（Ｃ）である。
【図２０】図１９の部品の底面図である。
【図２１】図１９の部品を、図２０におけるＸＸＩ−ＸＸＩ断面にて示したものである。
【図２２】図１９の部品を、図２０におけるＸＸＩＩ−ＸＸＩＩ断面にて示したものである。
【発明を実施するための形態】
【００５４】
以下、本発明の各実施形態を、図面を参照しつつ説明する。なお、各図に記された符号のうち、複数の図面において共通するものについては、以下の各図の説明において記述がない場合であっても同じ技術的意義を有するものである。また、側面図として示した図面においては、図面の左側が平面側かつ先端側であり、図面の右側が底面側かつ後端側である。
【００５５】
（第１実施形態）
＜外観＞
図１（Ａ）は、第１実施形態に係る筆記具１０の側面図である。本図に示すように、本実施形態の筆記具１０は、ボールペンとして構成されている。この筆記具１０は、後端に尾栓としての部品４０が装着されている軸筒３０の先端に、クリップ３７を備えたキャップ３６が装着された外観を呈している。
【００５６】
図１（Ｂ）は、前記筆記具１０の側面断面図である。本図に示すように、本実施形態の筆記具１０においては、インク２４を収容するリフィル２０が前記軸筒３０に内蔵されており、また、このリフィル２０の後端は前記部品４０に当接して支持されている。このリフィル２０において前記インク２４を収容するインク収容管２３の先端には、継手２２を介してボールペンチップ２１が装着されている。このボールペンチップ２１の先端には樹脂玉２６が装着されている。この樹脂玉２６は、前記ボールペンチップ２１の先端を保護する目的で装着されるもので、前記リフィル２０の使用前に除去されるものである。さらに、前記リフィル２０に収容されている前記インク２４の後端にはグリース状のフォロワー２５が注入されている。なお、前記リフィル２０の先端側には、前記軸筒３０の先端側の内面との間に飾り部材７０が挿入されるが、これについては後述する。
【００５７】
＜リフィル２０＞
図２（Ａ）は、前記筆記具１０における前記リフィル２０の側面図である。前述したように、前記リフィル２０は、円柱状の合成樹脂製のインク収容管２３の先端に、合成樹脂製の継手２２を介して金属製のボールペンチップ２１が装着された外観を呈している。
【００５８】
図２（Ｂ）は、前記筆記具１０における前記リフィル２０の側面断面図である。前述したように、インク収容管２３には、前記したようにインク２４が収容されている。本実施形態のインク２４は、水性ゲルインクである。このインク２４に加え、その後端にはグリース状のフォロワー２５が注入されている。なお、このフォロワー２５の中に、比重が同じになるように調整した合成樹脂製の円柱状のフロートを浮遊させることとしてもよい。
【００５９】
＜軸筒３０＞
図３（Ａ）は、前記筆記具における前記軸筒３０の側面図である。前記軸筒３０は、内部が視認可能な合成樹脂を材質として筒状に形成されている。前記軸筒３０の先端部分は、一旦外径が縮小し、さらにその先で外周が先細に縮径されたテーパー部３１となっている。
【００６０】
図３（Ｂ）は、前記軸筒３０の側面断面図である。前記テーパー部３１の先端には開口部３５が形成され、ここから前記リフィル２０の前記ボールペンチップ２１が突出する（図１（Ｂ）参照）。また、前記軸筒３０の前記テーパー部３１を覆うように、前記キャップ３６が着脱自在に装着される（図１（Ａ）及び図１（Ｂ）参照）。
【００６１】
また、図３（Ｂ）に示すように、軸筒３０の後端部分には、その内周が後端へ向かって段状に拡径された段状凹部３３が形成されている。この段状凹部３３の後端側の部分には、前記部品４０を螺合させるための雌螺子溝３４が形成されている。一方、前記軸筒の先端部分の内周面には、内方へ突出した係止突起３２が形成されている。
【００６２】
＜飾り部材７０＞
図４（Ａ）は、前記飾り部材７０の外観を斜視図で示したものである。飾り部材７０は、前記インク２４の色と同色又は同系色に着色された合成樹脂製で、略筒状の後方部７２の先端側に、外周が先細に縮径された前方部７１が一体に形成された外観を呈している。前記後方部７２の外周には、環状に突出した、軸筒３０との振れ止めとしての制振突条７３が形成されている。さらに、この制振突条７３の後端側であって、前記後方部７２の外周後端には、係止突条７８が形成されている。この係止突条７８は、前記軸筒３０に装着する際、前記係止突起３２を弾性変形にて乗り越えるようにしてその先端側に位置することで、これら係止突起３２と係止突条７８とが互いに係止することとなっている。また、前記前方部７１の先端には、前方開口７４が形成されている。
【００６３】
図４（Ｂ）は前記飾り部材７０の側面断面図である。また、図４（Ｃ）は前記飾り部材７０の底面図である。これら両図に示すように、前記飾り部材７０の内周面は、その先端側が段状に縮径した縮径段部７５となっており、ここからさらに小径の孔としての前記前方開口７４が形成されている。この前方開口７４を、前記リフィル２０の前記ボールペンチップ２１が貫通する（図１（Ｂ）参照）。また、前記後方部７２の後端は、前記前方開口７４より大径の後方開口７６となっている。さらに、前記飾り部材７０の内周面には、長手方向に沿った６本の内方リブ７７が、軸心に対して等配されるようにして内方に突設されている。これらの内方リブ７７は、前記リフィル２０の前記継手２２の外周を支持する（図１（Ｂ）参照）。
【００６４】
以上の構成により、前記飾り部材７０は、前記リフィル２０の先端部分の外径を保持する機能に加え、前記したように前記インク２４の色と同色又は同系色に着色されているため、前記リフィル２０に収容されている前記インク２４の色を表示する機能も兼ねている。
【００６５】
＜部品４０＞
図５は、前記筆記具１０における前記部品４０の側面図である。本図に示すように、前記部品４０においては、側面視では略円筒状の外観を呈する外筒部５０が視認される。この外筒部５０の後端側の外周面には、長手方向に沿って６本の凸部５３が等配されて突設されている。また、外筒部の先端側の外周面はやや小径に形成され、この部分が前記軸筒３０に装着された際に、段状凹部３３（図３（Ｂ）参照）と嵌合する嵌合部５２となっている。この嵌合部５２の後方側の部分には、前記雌螺子溝３４と螺合するための雄螺子溝５１が形成されている。
【００６６】
図６は、前記部品４０の平面図である。図７は、前記部品４０の底面図である。図８は、図６及び図７におけるＶＩＩＩ−ＶＩＩＩ断面図である。図９は、図６及び図７におけるＩＸ−ＩＸ断面図である。そして、図１０は、前記部品４０の斜視図であって、図６及び図７におけるＸ−Ｘ一部断面が示されている。
【００６７】
これら図６〜図１０に示すように、前記部品４０は、より大径の筒状の外筒部５０と、この外筒部５０に収容される、より小径の筒状の内筒部６０とを有している。より詳細には、前記内筒部６０は、前記外筒部５０の中に軸心同一で位置している（図６及び図７参照）。また、前記内筒部６０の開放した前端は、前記外筒部５０の開放した前端より後端寄りに位置している（図８〜図１０参照）。さらに、前記内筒部６０の後端側は、底部４１によって閉鎖している（図７〜図１０参照）。なお、前記底部４１は先端側からも視認可能である（図６参照）。
【００６８】
なお、前記底部４１は、前記外筒部５０の後端側の面と捉えることもできる。すなわち、前記外筒部５０の前記底部４１は、いくつかの開口部（後述する通気孔４４（図７参照））を備えることで、少なくとも前記内筒部６０の後端側を閉塞している、ということもできる。このように捉えると、前記底部４１は、前記外筒部５０の後端側の筒口において少なくとも中心部分を閉塞する部分であり、この底部４１の前記中心部分の内面から先端側に突出する筒状の構造が、前記内筒部６０である、ともいえる。そして、前記底部の内面及び前記内筒部６０の内周面に囲まれる空間を、第１貯留部６１と称する（図８〜図１０参照）。
【００６９】
前記外筒部５０と前記内筒部６０とは、等配された６本の仕切部４２（図６及び図７参照）で長手方向に沿って連結されている。これらの仕切部４２によって、前記外筒部５０と前記内筒部６０との間の空間は周方向に６つの区画に仕切られている。
【００７０】
これら６つの区画のうちの一部、具体的には４つにおいては、先端側から後端側までが完全に貫通している（図９参照）。これら４つの区画は、通気部４３と称される（図６及び図７参照）。これら通気部４３の後端縁は、底面視（図７参照）にて孔として認識できる。これらの孔を通気孔４４と称する。この通気部５３によって、この通気孔４４から前記外筒部５０の先端側の筒口にかけて空気が前記部品４０の内部を流通し得るようになっており、万一、乳幼児がこの部品４０を誤飲して気道を詰まらせた場合、窒息を防止することができる。
【００７１】
また、前記６つの区画のうちの、前記通気部４３以外の残りの２つの区画においては、前記内筒部６０の先端より後端側の箇所が隔壁４６で閉塞されている（図６及び図７参照）。これら２つの区画において、この隔壁４６より先端側の空間を、第２貯留部４５（図１０参照）と称する。なお、前記内筒部６０の前端縁のうち、前記第２貯留部４５に臨む部分には切り欠きが設けられる。この切り欠きが、前記第１貯留部６１と前記第２貯留部４５とを連絡する換気口６２である。筆記によって前記リフィル２０の前記インク２４が減少した際には、外部の空気がこの換気口６２から前記インク収容管２３に流入することとなっている。
【００７２】
前記仕切部４２の先端面は、第１当接部４７と称される。この第１当接部４７から先端方向に、内方に突出する前方リブ５４が６本延設されている（図８〜図１０参照）。これらの６本の前方リブ５４は、前記リフィル２０の後端部分の外周に当接する部分である。
【００７３】
また、前記第１貯留部６１の後端側の部分の内周面に、６本の後方リブ６４が長手方向に沿って突設されており（図１０参照）、これら後方リブ６４の先端面は、第２当接部６３と称される（図６及び図１０参照）。換言すると、前記第１当接部４７より後端側において、前記内筒部６０の内周に形成される、先端側から見て段部となっている箇所が第２当接部６３である。すなわち、この第２当接部６３を境に、後端側の内接円直径は先端側の内接円直径より小さい。また、前記第１当接部４７の内接円直径は前記第２当接部６３の内接円直径より大きい。
【００７４】
前記部品４０は、上記した構造が、合成樹脂により一体に形成されたものである。
【００７５】
＜部品４０の装着＞
本実施形態では、図３（Ａ）及び図３（Ｂ）に示す前記軸筒３０に、まず、図４（Ａ）〜図４（Ｃ）に示す前記飾り部材７０が装着される。次に、前記軸筒３０の後端から、図２（Ａ）及び図２（Ｂ）に示す前記リフィル２０が装着される。そして、前記軸筒３０の後端の前記雌螺子溝３４に、図５〜図１０に示す前記部品４０の前記雄螺子溝５１を螺合させる。このようにして、前記筆記具１０の後端部分の側面断面図である図１１に示すように、前記部品４０が前記軸筒３０に装着される。この状態においては、前記インク収容管２３の後端は、前記第１当接部４７に当接した状態で前記部品４０に支持されている。なお、前記リフィル２０の全長の公差部分は、前記軸筒３０への前記部品４０の螺入具合によって調節することが可能である。
【００７６】
図１２は、前記筆記具１０の後端部分の斜視断面図である。前述したように、前記第１当接部４７は、前記インク収容管２３の後端縁に当接している。また、前記底部４１の内面及び前記内筒部６０の内周面に囲まれる空間は、前述したように第１貯留部６１となっている。この第１貯留部６１には、前記フォロワー２５や、それに加えて前記インク２４のような内容物が前記インク収容管２３の後端から流出した場合、これを貯留することが可能となっている。なお、前記第１当接部４７と前記インク収容管２３の後端縁との間には、表面張力により前記内容物が滲出できない程度の遊びを有していてもよい。
【００７７】
また、前記前方リブ５４と前記リフィル２０の後端部分の外周との間には、表面張力により前記内容物が滲出できない程度の遊びを有するように形成してもよい。すなわち、前記軸筒３０の後端に前記部品４０を装着する際に、６本の前記前方リブ５４の内側に、前記リフィル２０の後端部分が緩嵌されるように形成してもよい。
【００７８】
なお、前記部品４０の固定方法は前記したような螺合には限らない。たとえば、前記外筒部５０の外周及び前記軸筒３０の内周にそれぞれ、前記雄螺子溝５１及び前記雌螺子溝３４の代わりに突起を設け、該突起同士を係合させることにより前記部品４０を固定してもよい。あるいは、前記雄螺子溝５１及び前記雌螺子溝３４の代わりに、前記外筒部５０の外周又は軸筒３０の内周のいずれか一方に突起を設けるとともに他方には溝を設け、該溝に該突起を嵌合させることにより前記部品４０を固定してもよい。あるいは、接着剤により前記部品４０を前記軸筒３０に接着させて固定してもよいし、レーザー等を用いて前記部品４０と前記軸筒３０とを溶着させて固定してもよい。あるいは、前記前方リブ５４が前記リフィル２０の後端部分の外周に圧着するように形成してもよい。すなわち、前記軸筒３０の後端に前記部品４０を装着する際に、６本の前記前方リブ５４の内方に前記リフィル２０の後端部分を圧入するように、前記部品４０を装着することとしてもよい。
【００７９】
＜内容物の逆流＞
図１２を参照しつつ、前記インク収容管２３に収容されている、前記インク２４及び前記フォロワー２５のような内容物の逆流について説明する。前記ボールペンチップ２１を上向きにした状態で前記筆記具１０に衝撃を与えたり、あるいは長時間放置したりすると、前記インク収容管２３の内容物が前記部品４０へ向けて逆流することがある。このような逆流した前記内容物は、前記内筒部６０に流入して前記第１貯留部６１に貯留される。
【００８０】
前記内容物の前記第１貯留部６１への流入がさらに続き、前記第１貯留部６１に溜まった前記内容物が前記内筒部６０の前記換気口６２まで溢れると、前記内容物はこの換気口６２を通じて前記第２貯留部４５へ流入する。そして、この第２貯留部４５に流入した前記内容物は、前記仕切部４２に遮られて隣接する前記通気部４３へ流出されず、この第２貯留部４５に貯留され続ける。このように、前記内容物が逆流しても、前記部品４０の前記通気孔４４から漏出することが防止できる。
【００８１】
（第２実施形態）
＜外観＞
図１３（Ａ）は、第２実施形態に係る筆記具１０の側面図である。本図に示すように、本実施形態の筆記具１０は、ボールペンとして構成されている。この筆記具１０は、後端に尾栓としての部品４０が装着されている軸筒３０の先端に、クリップ３７を備えたキャップ３６が装着された外観を呈している。
【００８２】
図１３（Ｂ）は、前記筆記具１０の側面断面図である。本図に示すように、本実施形態の筆記具１０においては、インク２４を収容するリフィル２０が前記軸筒３０に内蔵されており、また、このリフィル２０の後端は前記部品４０に当接して支持されている。このリフィル２０において前記インク２４を収容するインク収容管２３の先端には、ボールペンチップ２１が装着されている。このボールペンチップ２１の先端には樹脂玉２６が装着されている。この樹脂玉２６は、前記ボールペンチップ２１の先端を保護する目的で装着されるもので、前記リフィル２０の使用前に除去されるものである。なお、前記リフィル２０の先端側には、前記軸筒３０の先端側の内面との間に飾り部材７０が挿入されるが、これについては前記第１実施形態と同様である（図４（Ａ）〜図４（Ｃ）参照）。
【００８３】
＜リフィル２０＞
図１４（Ａ）は、前記筆記具１０における前記リフィル２０の側面図である。前述したように、前記リフィル２０は、円柱状の合成樹脂製のインク収容管２３の先端に、金属製のボールペンチップ２１が装着された外観を呈している。
【００８４】
図１４（Ｂ）は、前記筆記具１０における前記リフィル２０の側面断面図である。前述したように、インク収容管２３には、前記したようにインク２４が収容されている。本実施形態のインク２４は、油性インクである。なお、本実施形態におけるインク収容管２３は、前記第１実施形態におけるインク収容管２３（図２（Ａ）及び図２（Ｂ）参照）よりも細径である。
【００８５】
＜軸筒３０＞
前記軸筒３０については、前記第１実施形態と同様である（図３（Ａ）及び図３（Ｂ）参照）。
【００８６】
＜部品４０＞
前記部品４０については、前記第１実施形態と同様である（図５〜図１０参照）。
【００８７】
＜部品４０の装着＞
本実施形態では、前記軸筒３０（図３（Ａ）及び図３（Ｂ）参照）に、まず、前記飾り部材７０（図４（Ａ）〜図４（Ｃ））が装着される。次に、前記軸筒３０の後端から、図１４（Ａ）及び図１４（Ｂ）に示す前記リフィル２０が装着される。そして、前記軸筒３０の後端の前記雌螺子溝３４に、前記部品４０の前記雄螺子溝５１を螺合させる。このようにして、前記筆記具１０の後端部分の側面断面図である図１５に示すように、前記部品４０が前記軸筒３０に装着される。この状態においては、前記インク収容管２３の後端は、前記第２当接部６３に当接した状態で前記部品４０に支持されている。なお、前記リフィル２０の全長の公差部分は、前記軸筒３０への前記部品４０の螺入具合によって調節することが可能である。
【００８８】
（第１実施形態及び第２実施形態の総括）
以上述べたとおり、前記軸筒３０、前記飾り部材７０及び前記部品４０については前記第１実施形態及び前記第２実施形態において共通の構造を有している。そして、この共通の構造で、前記第１実施形態のような比較的太径の前記リフィル２０、及び、前記第２実施形態のような比較的細径の前記リフィル２０といった、異なる形状のリフィル２０、２０のいずれをも内蔵可能となっている。なお、いずれの前記リフィル２０の場合でも、その長さの公差については前記部品４０の前記軸筒３０への螺入具合で微調整が可能となっている。
【００８９】
（筆記具セット８０）
図１６は、第３実施形態に係る筆記具セット８０の正面図である。この筆記具セット８０は、前記部品４０及び前記クリップ３７を備えた前記キャップ３６が装着された前記軸筒３０と、前記第１実施形態及び前記第２実施形態における各リフィル２０、２０とが、透明樹脂製の包装８１に同梱されたものである。各リフィル２０、２０は、異なるインク種であるか、又は、インク粘度若しくはインク色が異なっている。しかし、筆記可能距離がほぼ等しくなるようなインク量が各リフィル２０、２０には収容されているので、各リフィル２０、２０の使用頻度がほぼ等しい場合、一方のリフィルのみが先に使い終わるようなことは起こりにくくなり、ユーザーの利便性が向上する。なお、異なるインク種とは、インクに用いる主溶剤が異なるものを示し、いわゆる油性インク、水性インク、エマルジョンインク等をいう。
【００９０】
使用の際には、前記包装８１より前記軸筒３０及び各リフィル２０、２０を取り出し、前記軸筒３０から前記部品４０を取り外した上で、各リフィル２０、２０のうちのいずれかを、前記軸筒３０に挿入し、前記したように前記部品４０を取り付ける。これによって、前記第１実施形態に係る筆記具１０（図１（Ａ）及び図１（Ｂ）参照）又は前記第２実施形態に係る筆記具１０（図１３（Ａ）及び図１３（Ｂ）参照）のいずれかが形成される。
【００９１】
（第４実施形態）
＜外観＞
図１７（Ａ）は、第４実施形態に係る筆記具１０の側面図である。本図に示すように、本実施形態の筆記具１０は、軸筒３０の後端からノックボタンとしてのノックカバー３９が突出した、いわゆるノック式筆記具として構成されている。この筆記具１０の軸筒３０の後端側面には、クリップ３７が一体に形成されている。また、軸筒３０の先端には、外周が先細に縮径されたテーパー部３１となっている先軸３０Ａが装着されている。
【００９２】
図１７（Ｂ）は、図１７（Ａ）の筆記具１０の側面断面図である。本図に示すように、本実施形態の筆記具１０においては、インク２４を収容するリフィル２０が前記軸筒３０に内蔵されており、また、このリフィル２０の後端に回転子としての部品４０が装着されている。このインク２４は水性ゲルインクであり、インク収容管２３内のインク２４の後端にはグリース状のフォロワー２５が注入されている。本実施形態では、リフィル２０の後端は、この部品４０の先端側を構成する外筒部５０に抱持されている。さらに、この部品４０の後端には、リフィル２０を出没させるためのノック棒３８、及び色や機能表示部材としてノック棒３８に嵌合しているノックカバー３９を備えている。このリフィル２０におけるインク収容管２３の長さ及び外径は、前記第１実施形態におけるリフィル２０（図２（Ａ）及び（Ｂ）参照）と同様であり、リフィル２０を構成する各部についても前記第１実施形態と同様である。
【００９３】
先軸３０Ａの後方部分は、軸筒３０の先端内周面に螺入されて固定されており、前方部分が前記したテーパー部３１となっている。このテーパー部３１の先端には開口部３５が形成され、ここからリフィル２０のボールペンチップ２１が、ノックカバー３９への操作に伴い出没する。なお、本実施形態では、リフィル２０の継手２２（図２（Ｂ）参照）と、先軸３０Ａの開口部３５のやや後方に形成されている段部との間に、ノックスプリング２７が介装されている。
【００９４】
リフィル２０の先端側には、軸筒３０の先端側の内面との間に、弾性を有する環状の飾り部材７０が挿入されており、リフィル２０の軸筒３０内部における振れ止めとして機能している。
【００９５】
（第５実施形態）
＜外観＞
図１８（Ａ）は、第５実施形態に係る筆記具１０の側面図である。本図に示すように、本実施形態の筆記具１０は、軸筒３０の後端からノックボタンとしてのノックカバー３９が突出した、いわゆるノック式筆記具として構成されている。この筆記具１０の軸筒３０の後端側面には、クリップ３７が一体に形成されている。また、軸筒３０の先端には、外周が先細に縮径されたテーパー部３１となっている先軸３０Ａが装着されている。
【００９６】
図１８（Ｂ）は、図１８（Ａ）の筆記具１０の側面断面図である。本実施形態の筆記具１０においては、前記第２実施形態におけるリフィル２０（図１４（Ａ）及び（Ｂ）参照）とほぼ同様の構造を有するリフィル２０が装着されている他、軸筒３０、先軸３０Ａ、回転子としての部品４０、ノック棒３８及びノックカバー３９の構造は前記した第４実施形態と同じである。このリフィル２０に収容されているインク２４は油性インクである。なお、本実施形態では、リフィル２０の後端は、この部品４０の後方側を構成する内筒部６０に抱持されている。また、本実施形態では、リフィル２０のインク収容管２３の先端付近において外方に突出するように形成された隆起部２３Ａと、先軸３０Ａの開口部３５のやや後方に形成されている段部との間に、ノックスプリング２７が介装されている。
【００９７】
リフィル２０の先端側には、軸筒３０の先端側の内面との間に、弾性を有する平板環状の飾り部材７０が挿入されている。この飾り部材７０の外径は軸筒３０の内径より大きく形成されており、リフィル２０が軸筒３０に挿入された状態では外周側が軸心方向へ撓んだ状態となることで、リフィル２０の軸筒３０内部における振れ止めとして機能している。
【００９８】
（部品４０）
前記した回転子としての前記部品４０は、前記第４実施形態及び前記第５実施形態で共通である。図１９（Ａ）は、その部品４０の側面図であり、図１９（Ｂ）はその前方斜視図であり、図１９（Ｃ）はその後方斜視図である。これらの図に示すように、前記部品４０の前方部分は、側面視において略円筒状の外観を呈する外筒部５０となっている。また、この外筒部５０の後方には、外筒部５０より小径でかつ軸心同一の内筒部６０が一体に形成されている。この内筒部６０の前端縁６８は、図１９（Ｂ）に示すように、外筒部５０の底面から僅かに前方へ突出している。この内筒部６０の後端からは、より小径な略円柱状の接続突起６７が突設されている。この接続突起６７は、図１７（Ｂ）及び図１８（Ｂ）に示すように後方に位置するノック棒３８との接続に関与する部分である。また、この内筒部６０の外側面には、三方に等配され（図１９（Ｃ）参照）、長手方向に沿って形成された側面リブ６５が形成されている。この側面リブ６５の後端面は、内筒部６０の後端面とともに、後方に位置するノック棒３８との間でカム動作に関与するカム歯６６を構成する。
【００９９】
図２０は、前記部品４０の平面図である。図２１は、図２０におけるＸＸＩ−ＸＸＩ断面図である。図２２は、図２０におけるＸＩＩＩ−ＸＩＩＩ断面図である。
【０１００】
これら図２０〜図２２に示すように、前記部品４０は、より大径の筒状の外筒部５０と、大部分がこの外筒部５０の後方に位置するとともに、前端縁６８の部分のみがこの外筒部５０の内部に位置する、より小径の筒状の内筒部６０とを有している。前記内筒部６０は、前記外筒部５０と軸心同一である（図２０参照）。また、前記内筒部６０の開放した前端は、前記外筒部５０の開放した前端より後端寄りに位置している（図２１参照）。さらに、前記内筒部６０の後端側は、底部４１によって閉鎖している（図２０〜図２２参照）。なお、前記底部４１は先端側からも視認可能である（図２０参照）。内筒部６０の後端からは、前記した接続突起６７が突設されている。
【０１０１】
そして、前記底部の内面及び前記内筒部６０の内周面に囲まれる空間を、第１貯留部６１と称する（図２０〜図２２参照）。
【０１０２】
前記外筒部５０の内側面と前記内筒部６０の前端縁６８とは、等配された６本の仕切部４２（図２０参照）で連結されている。これらの仕切部４２によって、前記外筒部５０と前記内筒部６０との間の空間は周方向に６つの区画に仕切られている。
【０１０３】
これらの６つの区画は、前記内筒部６０の前端縁６８より後端側の箇所が隔壁４６で閉塞されている（図２０及び図２１参照）。この隔壁４６で閉塞されているこれら６つの区画を、第２貯留部４５（図２０及び図２１参照）と称する。なお、これら６つの区画の内、軸心を挟んで対向する２つの区画においては前記内筒部６０の前端縁６８に切り欠きが設けられている。この切り欠きが、前記第１貯留部６１と前記第２貯留部４５とを連絡する換気口６２である。筆記によって前記リフィル２０の前記インク２４が減少した際には、外部の空気がこの換気口６２から前記インク収容管２３に流入することとなっている。
【０１０４】
前記仕切部４２の先端面は、第１当接部４７と称される。この第１当接部４７から先端方向に、内方に突出する前方リブ５４が６本延設されている（図２０〜図２２参照）。これらの６本の前方リブ５４は、前記リフィル２０の後端部分の外周に当接する部分である。
【０１０５】
また、前記第１貯留部６１の後端側の部分の内周面に、６本の後方リブ６４が長手方向に沿って突設されており（図２０〜図２２参照）、これら後方リブ６４の先端面は、第２当接部６３と称される（図２０〜図２２参照）。換言すると、前記第１当接部４７より後端側において、前記内筒部６０の内周に形成される、先端側から見て段部となっている箇所が第２当接部６３である。すなわち、この第２当接部６３を境に、後端側の内接円直径は先端側の内接円直径より小さい。また、前記第１当接部４７の内接円直径は前記第２当接部６３の内接円直径より大きい。
【０１０６】
前記部品４０は、上記した構造が、合成樹脂により一体に形成されたものである。
【０１０７】
＜部品４０の装着＞
本実施形態では、前記部品４０の接続突起６７に、前記ノック棒３８（図１７及び図１８参照）が外挿された状態で、軸筒３０の先端から後方へ挿入される。そして、軸筒３０の後端から突出したノック棒３８に、図１７及び図１８に示すようにノックカバー３９が装着される。
【０１０８】
そして、前記第４実施形態においては、より太径のリフィル２０（図２（Ａ）及び図２（Ｂ）参照）に飾り部材７０（図１７（Ｂ）参照）を外挿してから、リフィル２０の後端側が軸筒３０の先端から挿入される。そしてリフィル２０の後端は部品４０の外筒部５０に進入し、第１当接部４７に当接した状態で保持される（図１７（Ｂ）参照）。このとき、飾り部材７０はリフィル２０の外側面と軸筒３０の内側面とで挟まれた状態となることで、リフィル２０の振れ止めとして機能する。この状態で、リフィル２０の先端にノックスプリング２７を外挿してから、軸筒３０の先端に先軸３０Ａを螺着して、図１７（Ａ）及び図１７（Ｂ）に示す筆記具１０となる。
【０１０９】
一方、前記第５実施形態においては、より細径のリフィル２０（図１４（Ａ）及び図１４（Ｂ）参照）に飾り部材７０（図１８（Ｂ）参照）を外挿してから、リフィル２０の後端側が軸筒３０の先端から挿入される。そしてリフィル２０の後端は部品４０の外筒部５０を通過して内筒部６０に進入し、第２当接部６３に当接した状態で保持される（図１８（Ｂ）参照）。このとき、飾り部材７０はリフィル２０の外側面と軸筒３０の内側面とで挟まれた状態となることで、リフィル２０の振れ止めとして機能する。この状態で、リフィル２０の先端にノックスプリング２７を外挿してから、軸筒３０の先端に先軸３０Ａを螺着して、図１８（Ａ）及び図１８（Ｂ）に示す筆記具１０となる。
【０１１０】
＜第４実施形態及び第５実施形態の総括＞
以上述べたとおり、前記部品４０は、より太径の水性ゲルインクを収容するリフィル２０（図２（Ａ）及び図２（Ｂ）参照）にも、また、より細径の油性インクを収容するリフィル（図１４（Ａ）及び図１４（Ｂ）参照）にも対応している。よって、同一の部品４０、ノック棒３８及びノックカバー３９並びに先軸３０Ａが装着された同一の軸筒３０に、少なくとも２種類の太さのリフィル２０が装着可能となっている。なお、前記インク収容管２３に収容されている、前記インク２４及び前記フォロワー２５のような内容物の逆流については、前記第１実施形態で説明したとおりである。
【０１１１】
また、前記第３実施形態で述べた筆記具セット８０に、第４実施形態及び第５実施形態における軸筒３０（部品４０、ノック棒３８、ノックカバー３９及び先軸３０Ａとともに）を、前記第３実施形態における軸筒３０の代わりに、あるいはこれとともに、包装８１に同梱することとしてもよい。
【産業上の利用可能性】
【０１１２】
本発明は、ボールペン、フェルトペン又はマーキングペンなどの筆記具に利用可能である。
【符号の説明】
【０１１３】
１０  筆記具
２０  リフィル            ２１  ボールペンチップ    ２２  継手
２３  インク収容管        ２３Ａ  隆起部            ２４  インク
２５  フォロワー          ２６  樹脂玉              ２７  ノックスプリング
３０  軸筒                ３０Ａ  先軸              ３１  テーパー部
３２  係止突起            ３３  段状凹部            ３４  雌螺子溝
３５  開口部              ３６  キャップ            ３７  クリップ
３８  ノック棒            ３９  ノックカバー
４０  部品                ４１  底部                ４２  仕切部
４３  通気部              ４４  通気孔              ４５  第２貯留部
４６  隔壁                ４７  第１当接部
５０  外筒部              ５１  雄螺子溝            ５２  嵌合部
５３  凸部                ５４  前方リブ
６０  内筒部              ６１  第１貯留部          ６２  換気口
６３  第２当接部          ６４  後方リブ            ６５  側面リブ
６６  カム歯              ６７  接続突起            ６８  前端縁
７０  飾り部材            ７１  前方部              ７２  後方部
７３  制振突条            ７４  前方開口            ７５  縮径段部
７６  後方開口            ７７  内方リブ            ７８  係止突条
８０  筆記具セット        ８１  包装
【図１】
2019214205.tif 000003
【図２】
2019214205.tif 000004
【図３】
2019214205.tif 000005
【図４】
2019214205.tif 000006
【図５】
2019214205.tif 000007
【図６】
2019214205.tif 000008
【図７】
2019214205.tif 000009
【図８】
2019214205.tif 000010
【図９】
2019214205.tif 000011
【図１０】
2019214205.tif 000012
【図１１】
2019214205.tif 000013
【図１２】
2019214205.tif 000014
【図１３】
2019214205.tif 000015
【図１４】
2019214205.tif 000016
【図１５】
2019214205.tif 000017
【図１６】
2019214205.tif 000018
【図１７】
2019214205.tif 000019
【図１８】
2019214205.tif 000020
【図１９】
2019214205.tif 000021
【図２０】
2019214205.tif 000022
【図２１】
2019214205.tif 000023
【図２２】
2019214205.tif 000024